(57)【要約】【課題】パワーコンディショナが出力抑制運転を行わずに、太陽光発電システム全体として出力抑制を達成する。【解決手段】複数のパワーコンディショナ１〜５の運転制御を行う運転制御装置１０であって、需要電力に関するデマンド情報を取得するデマンド情報取得部１１と、デマンド情報に基づいて、パワーコンディショナの定格出力電力の合計値が需要電力以下となるように複数のパワーコンディショナ１〜５のうち定格出力運転を行うパワーコンディショナの台数を決定するＰＣＳ決定部１２と、決定された台数のパワーコンディショナに対して定格出力運転指令を出力する運転指令部１３と、を備える。【選択図】図２
2016226120.tif 000002
【特許請求の範囲】
【請求項１】
複数のパワーコンディショナの運転制御を行う運転制御装置であって、
需要電力に関するデマンド情報を取得するデマンド情報取得部と、
前記デマンド情報に基づいて、パワーコンディショナの定格出力電力の合計値が前記需要電力以下となるように前記複数のパワーコンディショナのうち定格出力運転を行うパワーコンディショナの台数を決定するＰＣＳ決定部と、
前記決定された台数のパワーコンディショナに対して定格出力運転指令を出力する運転指令部と、
を備えることを特徴とする運転制御装置。
【請求項２】
前記複数のパワーコンディショナの定格出力電力が略等しく、前記デマンド情報は需要電力として出力抑制割合を含み、
前記ＰＣＳ決定部は、式（１）を満たす整数ｎを前記パワーコンディショナの台数とすることを特徴とする請求項１に記載の運転制御装置。
ｎ≦ｘ・Ｎ   ・・・・（１）
ここで、ｘは前記デマンド情報に含まれる出力抑制割合、Ｎは前記複数のパワーコンディショナの台数である。
【請求項３】
前記運転指令部は、定期的に、または所定のイベントが発生した時に、定格出力運転を行っているパワーコンディショナのうち少なくとも１台に対して運転停止指令を出力し、且つ運転停止中のパワーコンディショナのうち少なくとも１台に対して定格出力運転指令を出力するＰＣＳ切替動作を行うことを特徴とする請求項１または２に記載の運転制御装置。
【請求項４】
前記運転指令部は、定格出力運転を行うパワーコンディショナをローテーションするように前記ＰＣＳ切替動作を行うことを特徴とする請求項３に記載の運転制御装置。
【請求項５】
前記デマンド情報取得部は、変動する需要電力に関するデマンド情報を定期的に取得し、
前記ＰＣＳ決定部は、前記需要電力と、現在運転中のパワーコンディショナの出力電力の合計である実発電電力とに基づいて、定格出力運転を行うパワーコンディショナの台数を増減させることを特徴とする請求項１〜４のいずれかに記載の運転制御装置。
【請求項６】
前記ＰＣＳ決定部は、前記需要電力から前記実発電電力を引いた値が前記パワーコンディショナ１台あたりの定格出力以上の場合に、定格出力運転を行うパワーコンディショナの台数を少なくとも１台増やすことを特徴とする請求項５に記載の運転制御装置。
【請求項７】
前記ＰＣＳ決定部は、前記実発電電力が前記需要電力よりも大きい場合に、前記実発電電力が前記需要電力以下になるように、定格出力運転を行うパワーコンディショナの台数を少なくとも１台減らすことを特徴とする請求項５または６に記載の運転制御装置。
【請求項８】
前記運転指令部は、故障中のパワーコンディショナには定格出力運転指令を出力しないことを特徴とする請求項１〜７のいずれかに記載の運転制御装置。
【請求項９】
複数のパワーコンディショナの運転制御を行う運転制御装置であって、
需要電力に関するデマンド情報を取得するデマンド情報取得部と、
前記デマンド情報と、前記各パワーコンディショナの定格出力とに基づいて、パワーコンディショナの定格出力電力の合計値が前記需要電力以下となるように前記複数のパワーコンディショナの中から定格出力運転を行うパワーコンディショナを決定するＰＣＳ決定部と、
前記決定されたパワーコンディショナに対して定格出力運転指令を出力する運転指令部と、
を備えることを特徴とする運転制御装置。
【請求項１０】
複数の太陽電池と、
前記太陽電池が出力した直流電力を交流電力に変換する複数のパワーコンディショナと、
請求項１〜９のいずれかに記載のパワーコンディショナの運転制御装置と、
を備えることを特徴とする太陽光発電システム。
【請求項１１】
複数のパワーコンディショナの運転制御方法であって、
需要電力に関するデマンド情報を取得するステップと、
前記デマンド情報に基づいて、パワーコンディショナの定格出力電力の合計値が前記需要電力以下となるように前記複数のパワーコンディショナのうち定格出力運転を行うパワーコンディショナの台数を決定するステップと、
前記決定された台数のパワーコンディショナに対して定格出力運転指令を出力するステップと、
を備えることを特徴とする運転制御方法。
【請求項１２】
複数のパワーコンディショナの運転制御方法であって、
需要電力に関するデマンド情報を取得するステップと、
前記デマンド情報と、前記各パワーコンディショナの定格出力とに基づいて、パワーコンディショナの定格出力電力の合計値が前記需要電力以下となるように前記複数のパワーコンディショナの中から定格出力運転を行うパワーコンディショナを決定するステップと、
前記決定されたパワーコンディショナに対して定格出力運転指令を出力するステップと、
を備えることを特徴とする運転制御方法。
【請求項１３】
複数のパワーコンディショナの運転制御を行うための運転制御プログラムであって、
コンピュータを、
需要電力に関するデマンド情報を取得するデマンド情報取得手段、
前記デマンド情報に基づいて、パワーコンディショナの定格出力電力の合計値が前記需要電力以下となるように前記複数のパワーコンディショナのうち定格出力運転を行うパワーコンディショナの台数を決定するＰＣＳ決定手段、および
前記決定された台数のパワーコンディショナに対して定格出力運転指令を出力する運転指令手段
として機能させるための運転制御プログラム。
【請求項１４】
複数のパワーコンディショナの運転制御を行うための運転制御プログラムであって、
コンピュータを、
需要電力に関するデマンド情報を取得するデマンド情報取得手段、
前記デマンド情報と、前記各パワーコンディショナの定格出力とに基づいて、パワーコンディショナの定格出力電力の合計値が前記需要電力以下となるように前記複数のパワーコンディショナの中から定格出力運転を行うパワーコンディショナを決定するＰＣＳ決定手段、および
前記決定されたパワーコンディショナに対して定格出力運転指令を出力する運転指令手段
として機能させるための運転制御プログラム。
【発明の詳細な説明】
【技術分野】
【０００１】
本発明は、パワーコンディショナの運転制御装置、運転制御方法、運転制御プログラム、および太陽光発電システムに関する。
【背景技術】
【０００２】
近年、太陽光発電システム（ｐｈｏｔｏｖｏｌｔａｉｃ（ＰＶ）ｓｙｓｔｅｍ）で発電された電力を電気事業者に売電することが行われている。太陽光発電システムが電力系統（以下、単に「系統」という。）に大量に接続された場合、発電量が多いときには、系統に供給される電力が電気事業者の接続可能量を超える可能性がある。このような事態を回避するため、電力需要が少ない時期には太陽光発電システムの出力を抑制する必要がある。太陽光発電システムの各パワーコンディショナが出力を抑制する運転（出力抑制運転）を行うことで、太陽光発電システムから系統に供給される電力が抑制される。
【０００３】
特許文献１には、各パワーコンディショナの出力抑制を個別に行う太陽光発電システムが記載されている。また、特許文献２には、風力発電システムの発電出力スケジュール制御方法が記載されている。この方法では、風力発電システム内の風車発電機をグループ化しておき、サーバ装置が風車発電機グループ単位での発電出力スケジュールを設定し、各グループのマスタの制御端末が各グループの発電出力を分担制御する。これにより、風車発電機の脱落の際に所期の発電出力が確保される。
【先行技術文献】
【特許文献】
【０００４】
【特許文献１】特開２０１３−２０７８６２号公報
【特許文献２】特開２０１２−３９８０２号公報
【発明の概要】
【発明が解決しようとする課題】
【０００５】
上記のように特許文献１の太陽光発電システムでは、各パワーコンディショナが出力抑制運転を行うことで太陽光発電システムの出力抑制が行われる。しかしながら、パワーコンディショナが出力抑制機能を有しない場合には実行できないという問題がある。また、特許文献２には、風車発電機の脱落の際に所期の発電出力が確保されるものの、この問題を解決することはできない。
【０００６】
そこで、本発明は、パワーコンディショナが出力抑制運転を行わずに、太陽光発電システム全体として出力抑制が達成されることを目的とする。
【課題を解決するための手段】
【０００７】
本発明に係る運転制御装置は、
複数のパワーコンディショナの運転制御を行う運転制御装置であって、
需要電力に関するデマンド情報を取得するデマンド情報取得部と、
前記デマンド情報に基づいて、パワーコンディショナの定格出力電力の合計値が前記需要電力以下となるように前記複数のパワーコンディショナのうち定格出力運転を行うパワーコンディショナの台数を決定するＰＣＳ決定部と、
前記決定された台数のパワーコンディショナに対して定格出力運転指令を出力する運転指令部と、
を備えることを特徴とする。
【０００８】
また、前記運転制御装置において、
前記複数のパワーコンディショナの定格出力電力が略等しく、前記デマンド情報は需要電力として出力抑制割合を含み、
前記ＰＣＳ決定部は、式（１）を満たす整数ｎを前記パワーコンディショナの台数としてもよい。
ｎ≦ｘ・Ｎ   ・・・・（１）
ここで、ｘは前記デマンド情報に含まれる出力抑制割合、Ｎは前記複数のパワーコンディショナの台数である。
【０００９】
また、前記運転制御装置において、
前記運転指令部は、定期的に、または所定のイベントが発生した時に、定格出力運転を行っているパワーコンディショナのうち少なくとも１台に対して運転停止指令を出力し、且つ運転停止中のパワーコンディショナのうち少なくとも１台に対して定格出力運転指令を出力するＰＣＳ切替動作を行うようにしてもよい。
【００１０】
また、前記運転制御装置において、
前記運転指令部は、定格出力運転を行うパワーコンディショナをローテーションするように前記ＰＣＳ切替動作を行うようにしてもよい。
【００１１】
また、前記運転制御装置において、
前記デマンド情報取得部は、変動する需要電力に関するデマンド情報を定期的に取得し、
前記ＰＣＳ決定部は、前記需要電力と、現在運転中のパワーコンディショナの出力電力の合計である実発電電力とに基づいて、定格出力運転を行うパワーコンディショナの台数を増減させるようにしてもよい。
【００１２】
また、前記運転制御装置において、
前記ＰＣＳ決定部は、前記需要電力から前記実発電電力を引いた値が前記パワーコンディショナ１台あたりの定格出力以上の場合に、定格出力運転を行うパワーコンディショナの台数を少なくとも１台増やすようにしてもよい。
【００１３】
また、前記運転制御装置において、
前記ＰＣＳ決定部は、前記実発電電力が前記需要電力よりも大きい場合に、前記実発電電力が前記需要電力以下になるように、定格出力運転を行うパワーコンディショナの台数を少なくとも１台減らすようにしてもよい。
【００１４】
また、前記運転制御装置において、
前記運転指令部は、故障中のパワーコンディショナには定格出力運転指令を出力しないようにしてもよい。
【００１５】
本発明に係る運転制御装置は、
複数のパワーコンディショナの運転制御を行う運転制御装置であって、
需要電力に関するデマンド情報を取得するデマンド情報取得部と、
前記デマンド情報と、前記各パワーコンディショナの定格出力とに基づいて、パワーコンディショナの定格出力電力の合計値が前記需要電力以下となるように前記複数のパワーコンディショナの中から定格出力運転を行うパワーコンディショナを決定するＰＣＳ決定部と、
前記決定されたパワーコンディショナに対して定格出力運転指令を出力する運転指令部と、
を備えることを特徴とする。
【００１６】
本発明に係る太陽光発電システムは、
複数の太陽電池と、
前記太陽電池が出力した直流電力を交流電力に変換する複数のパワーコンディショナと、
前記パワーコンディショナの運転制御装置と、
を備えることを特徴とする。
【００１７】
本発明に係る運転制御方法は、
複数のパワーコンディショナの運転制御方法であって、
需要電力に関するデマンド情報を取得するステップと、
前記デマンド情報に基づいて、パワーコンディショナの定格出力電力の合計値が前記需要電力以下となるように前記複数のパワーコンディショナのうち定格出力運転を行うパワーコンディショナの台数を決定するステップと、
前記決定された台数のパワーコンディショナに対して定格出力運転指令を出力するステップと、
を備えることを特徴とする。
【００１８】
本発明に係る運転制御方法は、
複数のパワーコンディショナの運転制御方法であって、
需要電力に関するデマンド情報を取得するステップと、
前記デマンド情報と、前記各パワーコンディショナの定格出力とに基づいて、パワーコンディショナの定格出力電力の合計値が前記需要電力以下となるように前記複数のパワーコンディショナの中から定格出力運転を行うパワーコンディショナを決定するステップと、
前記決定されたパワーコンディショナに対して定格出力運転指令を出力するステップと、
を備えることを特徴とする。
【００１９】
本発明に係る運転制御プログラムは、
複数のパワーコンディショナの運転制御を行うための運転制御プログラムであって、
コンピュータを、
需要電力に関するデマンド情報を取得するデマンド情報取得手段、
前記デマンド情報に基づいて、パワーコンディショナの定格出力電力の合計値が前記需要電力以下となるように前記複数のパワーコンディショナのうち定格出力運転を行うパワーコンディショナの台数を決定するＰＣＳ決定手段、および
前記決定された台数のパワーコンディショナに対して定格出力運転指令を出力する運転指令手段
として機能させる。
【００２０】
本発明に係る運転制御プログラムは、
複数のパワーコンディショナの運転制御を行うための運転制御プログラムであって、
コンピュータを、
需要電力に関するデマンド情報を取得するデマンド情報取得手段、
前記デマンド情報と、前記各パワーコンディショナの定格出力とに基づいて、パワーコンディショナの定格出力電力の合計値が前記需要電力以下となるように前記複数のパワーコンディショナの中から定格出力運転を行うパワーコンディショナを決定するＰＣＳ決定手段、および
前記決定されたパワーコンディショナに対して定格出力運転指令を出力する運転指令手段
として機能させる。
【発明の効果】
【００２１】
本発明によれば、パワーコンディショナが出力抑制運転を行わずに、太陽光発電システム全体として出力抑制を達成することができる。
【図面の簡単な説明】
【００２２】
【図１】本発明の実施形態に係る太陽光発電システム１の概略的構成を示す図である。
【図２】本発明の第１の実施形態に係る運転制御装置１０の概略的構成を示す図である。
【図３】パワーコンディショナのローテーション運転を説明するための図である。
【図４】第１の実施形態に係るパワーコンディショナ運転開始時の運転制御方法を説明するためのフローチャートである。
【図５】第１の実施形態に係るパワーコンディショナ運転中の運転制御方法を説明するためのフローチャートである。
【図６】本発明の第２の実施形態に係る運転制御装置１０Ａの概略的構成を示す図である。
【図７】第２の実施形態に係るパワーコンディショナ運転開始時の運転制御方法を説明するためのフローチャートである。
【発明を実施するための形態】
【００２３】
以下、図面を参照しつつ本発明の実施形態について説明する。
【００２４】
＜太陽光発電システム１＞
まず、図１を参照して、本発明の実施形態に係る太陽光発電システム１について説明する。
【００２５】
太陽光発電システム１は、太陽光を受け直流電力を出力する複数の太陽電池３０と、太陽電池３０が出力した直流電力を交流電力に変換するパワーコンディショナ（ＰＣＳ）１〜５と、パワーコンディショナ１〜５の運転制御を行う運転制御装置１０と、通信ネットワークを介して運転制御装置１０に通信可能に接続されたサーバ５０とを備えている。
【００２６】
パワーコンディショナ１〜５は、電力会社の系統（図示せず）に並列接続されており、太陽電池３０の直流電力を変換した交流電力を系統に出力する。なお、パワーコンディショナ１〜５は、定格出力電力が互いに略等しい。パワーコンディショナ１〜５は出力抑制機能を有する必要はない。パワーコンディショナの台数は、図１に示す台数に制限されるものではなく、任意の台数であってもよい。
【００２７】
本実施形態では、パワーコンディショナ１〜５と運転制御装置１０は、図１に示すように、デイジーチェーン接続により接続されている。ただし、他の接続形態（バス接続等）で接続されていてもよい。パワーコンディショナ１〜５と運転制御装置１０は、独自の通信プロトコルにより互いに通信可能に構成されている。
【００２８】
運転制御装置１０は、詳細動作については後述するが、パワーコンディショナ１〜５に対して、定格出力運転（１００％出力運転）または運転停止（０％出力運転）するように制御を行う。
【００２９】
サーバ５０は、需要電力に関するデマンド情報を定期的に（例えば３０分ごとに）運転制御装置１０に送信する。このサーバ５０は、例えば電力会社が有するサーバ（電力会社サーバ）である。
【００３０】
サーバ５０が送信するデマンド情報は、例えば、出力抑制割合（５０％，６０％等）である。この出力抑制割合は、太陽光発電システム１の系統接続申請の際に申請された電力の何％を供給して良いかを示す。なお、デマンド情報は、出力抑制割合に限らず、例えば、需要電力の値そのもの（１０００ｋＷ等）であってもよい。
【００３１】
なお、太陽光発電システム１は、第１の実施形態に係る運転制御装置１０に代えて、第２の実施形態に係る運転制御装置１０Ａを備えてもよい。
【００３２】
＜運転制御装置１０＞
次に、第１の実施形態に係る運転制御装置１０について図２〜図５を参照して説明する。運転制御装置１０は、図２に示すように、制御部１６と、通信部１７と、記憶部１８とを備えている。
【００３３】
通信部１７は、外部装置（パワーコンディショナ１〜５、サーバ５０）との間で情報を送受信する。この通信部１７は、パワーコンディショナ１〜５との間で通信を行う第１通信部（図示せず）と、サーバ５０との間で通信を行う第２通信部（図示せず）とを有する。なお、一つの通信部（通信モジュール）がパワーコンディショナ１〜５およびサーバ５０の両方と通信を行ってもよい。
【００３４】
記憶部１８は、パワーコンディショナ１〜５から取得したモニタ情報、サーバ５０から取得したデマンド情報等を記憶する。なお、記憶部１８には、運転制御装置１０が動作するためのプログラムが格納されてもよい。記憶部１８は、ハードディスクや半導体メモリ等により構成される。
【００３５】
制御部１６は、デマンド情報取得部１１と、ＰＣＳ決定部１２と、運転指令部１３と、モニタ情報取得部１４とを備えている。この制御部１６は、ハードウェアで構成されてもよいし、あるいは、ソフトウェア（パワーコンディショナの運転制御プログラム）で構成されてもよい。
【００３６】
デマンド情報取得部１１は、通信部１７を介して、サーバ５０から、需要電力に関するデマンド情報を取得する。デマンド情報取得部１１は、変動する需要電力に関するデマンド情報を定期的に（例えば３０分ごとに）取得する。
【００３７】
ＰＣＳ決定部１２は、デマンド情報取得部１１により取得されたデマンド情報に基づいて、複数のパワーコンディショナ１〜５のうち定格出力運転を行うパワーコンディショナの台数を決定する。このＰＣＳ決定部１２は、定格出力運転を行うパワーコンディショナの定格出力電力の合計値が需要電力以下となるように当該台数を決定する。
【００３８】
例えば、デマンド情報が需要電力として出力抑制割合を含んでいる場合、ＰＣＳ決定部１２は、式（１）を満たす整数ｎを、定格出力運転を行うパワーコンディショナの台数とする。
ｎ≦ｘ・Ｎ   ・・・・（１）
ここで、ｘはデマンド情報に含まれる出力抑制割合、Ｎは複数のパワーコンディショナの台数である。なお、図１に示すシステム例の場合、Ｎ＝５である。好ましくは、ＰＣＳ決定部１２は、式（１）を満たす最大の整数ｎを、定格出力運転を行うパワーコンディショナの台数とする。
【００３９】
デマンド情報（需要電力）は電力会社の電力需要に応じて変動し得る。このため、デマンド情報取得部１１は、変動する需要電力に関するデマンド情報を定期的に取得する。この場合、ＰＣＳ決定部１２は、デマンド情報取得部１１により取得された需要電力（Ｄ）と、現在運転中のパワーコンディショナの出力電力の合計である実発電電力（Ｐ）とに基づいて、定格出力運転を行うパワーコンディショナの台数を増減させてもよい。例えば、ＰＣＳ決定部１２は、需要電力と実発電電力との差（Ｄ−Ｐ）とパワーコンディショナ１〜５の１台あたりの定格出力（ｐ）とを比較することにより、増減するパワーコンディショナの台数を決める。
【００４０】
運転指令部１３は、通信部１７を介して、ＰＣＳ決定部１２により決定された台数のパワーコンディショナに対して定格出力運転指令を出力する。定格出力運転指令を受けたパワーコンディショナは定格出力運転を行う。
【００４１】
なお、運転指令部１３は、モニタ情報取得部１４（後述）により取得されたパワーコンディショナ１〜５のアラームに基づいて、故障中のパワーコンディショナには定格出力運転指令を出力しないようにしてもよい。換言すれば、運転指令部１３は、故障中のパワーコンディショナを除外した後、定格出力運転指令の出力先を決める。
【００４２】
また、運転指令部１３は、定期的に、または所定のイベントが発生した時に、ＰＣＳ切替動作を行ってもよい。ここで、ＰＣＳ切替動作とは、定格出力運転を行っているパワーコンディショナのうち少なくとも１台に対して運転停止指令を出力し、且つ運転停止中のパワーコンディショナのうち少なくとも１台に対して定格出力運転指令を出力する動作のことをいう。定期的にＰＣＳ切替動作を行う場合、運転指令部１３は、例えば、所定の時刻または所定の時間帯（夜間等）になったときにＰＣＳ切替動作を行う。所定のイベントが発生したときにＰＣＳ切替動作を行う場合、運転指令部１３は、例えば、パワーコンディショナの発電量が低下したとき、またはパワーコンディショナの故障が発生したときにＰＣＳ切替動作を行う。
【００４３】
ＰＣＳ切替動作の具体例として、ローテーション運転が挙げられる。運転指令部１３は、図３に示すように、定格出力運転を行うパワーコンディショナをローテーションするようにＰＣＳ切替動作を行う。なお、図３において、ＰＣＳ１〜５は、パワーコンディショナ１〜５をそれぞれ指している。
【００４４】
上記のように、ＰＣＳ切替動作により、定格出力運転を行うパワーコンディショナが固定化しないようにすることで、運転負荷を分散することができる。その結果、パワーコンディショナの装置寿命を長くすることができる。
【００４５】
モニタ情報取得部１４は、通信部１７を介して、パワーコンディショナ１〜５からモニタ情報（発電量、アラーム等）を取得する。そして、このモニタ情報取得部１４は、取得したモニタ情報を記憶部１８に格納する。なお、モニタ情報取得部１４は、定期的にモニタ情報を取得してもよいし、あるいは、外部の管理装置（運転制御装置１０に接続されたパソコン等）からの指示（モニタ情報取得指示）を受信した場合にモニタ情報を取得するようにしてもよい。
【００４６】
上記のように、第１の実施形態では、需要電力に関するデマンド情報に基づいて、定格出力電力の合計値が需要電力以下となるように、定格出力運転を行うパワーコンディショナの台数を決定し、決定された台数のパワーコンディショナに対して定格出力運転指令を出力する。これにより、パワーコンディショナが出力抑制運転を行わずに、太陽光発電システム１全体として出力抑制を達成することができる。すなわち、パワーコンディショナ１〜５が出力抑制運転を行わずとも、太陽光発電システム１は需要電力に応じた出力抑制を行うことができる。
【００４７】
次に、図４および図５を参照して、第１の実施形態に係る運転制御方法について説明する。なお、図４は運転開始時の運転制御方法を示すフローチャートであり、図５は運転中の運転制御方法を示すフローチャートである。
【００４８】
まず、デマンド情報取得部１１が、電力会社のサーバ５０から、需要電力に関するデマンド情報を取得する（ステップＳ１１）。
【００４９】
次に、ＰＣＳ決定部１２が、ステップＳ１１で取得されたデマンド情報に基づいて、定格出力電力の合計値が需要電力以下となるように複数のパワーコンディショナ１〜５のうち定格出力運転を行うパワーコンディショナの台数を決定する（ステップＳ１２）。
【００５０】
次に、運転指令部１３が、ステップＳ１２で決定された台数のパワーコンディショナに対して定格出力運転指令を出力する（ステップＳ１３）。
【００５１】
その後、パワーコンディショナの運転中においては、図５に示すように、以下の運転制御を行う。
【００５２】
制御部１６が、実発電電力（Ｐ）は需要電力（Ｄ）以下であるかどうかを判定する（ステップＳ１４）。より詳しくは、制御部１６は、モニタ情報取得部１４により取得されたパワーコンディショナ１〜５の発電量を総和して実発電電力を算出し、この実発電電力と需要電力とを比較する。そして、実発電電力が需要電力以下の場合（ステップＳ１４：Ｙｅｓ）、ステップＳ１５に進み、そうでない場合はステップＳ１７に進む。
【００５３】
実発電電力が需要電力以下の場合（すなわち、Ｐ≦Ｄ）、制御部１６（ＰＣＳ決定部１２）は、需要電力（Ｄ）から実発電電力（Ｐ）を引いた値（供給不足電力：Ｄ−Ｐ）がパワーコンディショナ１台あたりの定格出力（ｐ）以上であるかどうかを判定する（ステップＳ１５）。そして、供給不足電力がパワーコンディショナ１台あたりの定格出力（ｐ）以上の場合（ステップＳ１５：Ｙｅｓ）、ＰＣＳ決定部１２は、定格出力運転を行うパワーコンディショナの台数を少なくとも１台増やす（ステップＳ１６）。例えば、Ｄ−Ｐ＞３ｐの場合、定格出力運転を行うパワーコンディショナの台数を少なくとも３台増やす。
【００５４】
一方、実発電電力が需要電力よりも大きい（すなわち、Ｐ＞Ｄ）、制御部１６（ＰＣＳ決定部１２）は、実発電電力（Ｐ）が需要電力（Ｄ）以下になるように、定格出力運転を行うパワーコンディショナの台数を少なくとも１台減らす（ステップＳ１７）。例えば、Ｐ−Ｄ＞３ｐの場合、定格出力運転を行うパワーコンディショナの台数を少なくとも３台減らす。
【００５５】
上記のようにして定格出力運転を行うパワーコンディショナの台数を増減させることで、太陽光発電システム１は、時々刻々変動する需要電力と実発電電力に応じた適切な電力を系統に供給することができる。
【００５６】
＜運転制御装置１０Ａ＞
次に、第２の実施形態に係る運転制御装置１０Ａについて、図６および図７を参照して説明する。第２の実施形態と第１の実施形態との間の相違点の一つは、パワーコンディショナ１〜５の各々の定格出力に基づいて、定格出力運転を行うパワーコンディショナを決定する点である。以下、第１の実施形態との相違点を中心に説明する。
【００５７】
本実施形態に係る運転制御装置１０Ａは、図６に示すように、制御部１６Ａと、通信部１７と、記憶部１８とを備えている。通信部１７については第１の実施形態と同様であるので説明は省略する。記憶部１８には、各パワーコンディショナ１〜５の定格出力値が記憶されている。
【００５８】
制御部１６Ａは、デマンド情報取得部１１と、ＰＣＳ決定部１２Ａと、運転指令部１３Ａと、モニタ情報取得部１４とを備えている。この制御部１６Ａは、ハードウェアで構成されてもよいし、あるいは、ソフトウェア（パワーコンディショナの運転制御プログラム）で構成されてもよい。なお、デマンド情報取得部１１とモニタ情報取得部１４は、第１の実施形態と同様であるので説明を省略する。
【００５９】
ＰＣＳ決定部１２Ａは、デマンド情報取得部１１により取得されたデマンド情報（需要電力）と、各パワーコンディショナ１〜５の定格出力（ｐ１〜ｐ５）とに基づいて、複数のパワーコンディショナ１〜５の中から定格出力運転を行うパワーコンディショナを決定する。なお、ＰＣＳ決定部１２Ａは、各パワーコンディショナ１〜５の定格出力（ｐ１〜ｐ５）の値を記憶部１８から読み出す。
【００６０】
ＰＣＳ決定部１２Ａは、パワーコンディショナ１〜５の定格出力電力の合計値が需要電力以下となるように、定格出力運転を行うパワーコンディショナを決定する。例えば、パワーコンディショナ１〜５の定格出力がそれぞれ、１０ｋＷ、１５ｋＷ、１５ｋＷ、１００ｋＷ、５０ｋＷであるとする。需要電力が１３０ｋＷの場合、ＰＣＳ決定部１２Ａは、パワーコンディショナ２，３，４を、定格出力運転を行うパワーコンディショナとして決定する。また、需要電力が７０ｋＷの場合、パワーコンディショナ２，５またはパワーコンディショナ３，５を、定格出力運転を行うパワーコンディショナとして決定する。
【００６１】
運転指令部１３Ａは、通信部１７を介して、ＰＣＳ決定部１２Ａにより決定されたパワーコンディショナに対して定格出力運転指令を出力する。定格出力運転指令を受けたパワーコンディショナは定格出力運転を行う。
【００６２】
上記のように、第２の実施形態では、需要電力に関するデマンド情報と、各パワーコンディショナの定格出力とに基づいて、定格出力電力の合計値が需要電力以下となるように、定格出力運転を行うパワーコンディショナを決定し、決定された台数のパワーコンディショナに対して定格出力運転指令を出力する。これにより、パワーコンディショナが出力抑制運転を行わずに、太陽光発電システム１全体として出力抑制を達成することができる。すなわち、パワーコンディショナ１〜５が出力抑制運転を行わずとも、太陽光発電システム１は需要電力に応じた出力抑制を行うことができる。
【００６３】
さらに、第２の実施形態では、各パワーコンディショナの定格出力値が異なる場合であっても、需要電力に応じた出力抑制を行うことができる。
【００６４】
次に、図７を参照して、第２の実施形態に係る運転開始時の運転制御方法について説明する。
【００６５】
まず、デマンド情報取得部１１が、電力会社のサーバ５０から、需要電力に関するデマンド情報を取得する（ステップＳ２１）。
【００６６】
次に、ＰＣＳ決定部１２Ａが、ステップＳ２１で取得されたデマンド情報と、各パワーコンディショナ１〜５の定格出力とに基づいて、定格出力電力の合計値が需要電力以下となるように複数のパワーコンディショナ１〜５のうち定格出力運転を行うパワーコンディショナを決定する（ステップＳ２２）。
【００６７】
次に、運転指令部１３Ａが、ステップＳ２２で決定されたパワーコンディショナに対して定格出力運転指令を出力する（ステップＳ２３）。
【００６８】
なお、パワーコンディショナの運転中における運転制御については、第１の実施形態と同様にして行うことが可能である。ただし、図５のステップＳ１６，Ｓ１７において、定格出力運転を行うパワーコンディショナを増減させる際、制御部１６Ａ（ＰＣＳ決定部１２Ａ）は、停止中のパワーコンディショナの定格出力を考慮して追加（または削除）するパワーコンディショナを決定する。
【００６９】
上述した実施形態で説明した運転制御装置１０，１０Ａの少なくとも一部は、ハードウェアで構成してもよいし、ソフトウェアで構成してもよい。ソフトウェアで構成する場合には、運転制御装置１０，１０Ａの少なくとも一部の機能を実現するプログラムをフレキシブルディスクやＣＤ−ＲＯＭ等の記録媒体に収納し、コンピュータ（運転制御装置）に読み込ませて実行させてもよい。記録媒体は、磁気ディスクや光ディスク等の着脱可能なものに限定されず、ハードディスク装置やメモリなどの固定型の記録媒体でもよい。
【００７０】
また、運転制御装置１０，１０Ａの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７１】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００７２】
１  太陽光発電システム
１０，１０Ａ  運転制御装置
１１  デマンド情報取得部
１２，１２Ａ  ＰＣＳ決定部
１３，１３Ａ  運転指令部
１４  モニタ情報取得部
１６，１６Ａ  制御部
１７  通信部
１８  記憶部
３０  太陽電池
５０  サーバ
ＰＣＳ１〜ＰＣＳ５  パワーコンディショナ
【図１】
2016226120.tif 000003
【図２】
2016226120.tif 000004
【図３】
2016226120.tif 000005
【図４】
2016226120.tif 000006
【図５】
2016226120.tif 000007
【図６】
2016226120.tif 000008
【図７】
2016226120.tif 000009